(57)【要約】【課題】容易に視野検査を行う。【解決手段】端末は、検査用画像データを保持する画像データ保持部と、検査用画像データを視野視力検査装置へ出力する画像出力処理部と、画像を表示する表示部と、検査用画像データから検査用画像を生成して表示部に表示する表示制御部と、を有し、視野視力検査装置は、光線を出射する光源部と、端末からの検査用画像データを入力する画像入力部と、入力された検査用画像データに基づいた光線を生成して、光源部から画像用光線の出射制御を行う制御部と、画像用光線を走査して検査用画像光線を生成する走査ミラーと、検査用画像光線を検査用画像として被験者の眼球に投影する投影部とを有し、検査用画像データは、それぞれに識別子を含む複数の領域に区分されている視野検査用画像データと、視標の画像を含む視力検査用画像データと、を含む。【選択図】図１
2017221657.tif 000002
【特許請求の範囲】
【請求項１】
視野視力検査装置と、前記視野視力検査装置と通信を行う端末装置と、を有する視野視力検査システムであって、
前記端末装置は、
検査用画像データを保持する画像データ保持部と、
前記検査用画像データを前記視野視力検査装置へ出力する画像出力処理部と、
画像を表示する表示部と、
前記検査用画像データから検査用画像を生成して前記表示部に表示する表示制御部と、を有し、
前記視野視力検査装置は、
光線を出射する光源部と、
前記端末装置からの検査用画像データを入力する画像入力部と、
入力された前記検査用画像データに基づいた光線を生成して、前記光源部から画像用光線の出射制御を行う制御部と、
前記画像用光線を走査して検査用画像光線を生成する走査ミラーと、
前記検査用画像光線を検査用画像として被験者の眼球に投影する投影部とを有し、
前記検査用画像データは、それぞれに識別子を含む複数の領域に区分されている視野検査用画像データと、視標の画像を含む視力検査用画像データと、を含む、視野視力検査システム。
【請求項２】
前記端末装置は、
選択された検査の種類に応じて、前記視野検査用画像データ又は前記視力検査用画像データの何れかを選択する画像データ選択部を有し、
前記画像出力処理部は、
前記画像データ選択部により選択された前記視野検査用画像データ又は前記視力検査用画像データを前記視野視力検査装置へ出力する、請求項１記載の視野視力検査システム。
【請求項３】
前記端末装置は、検査結果を格納する検査結果格納部を有し、
前記表示部に表示された、前記視野検査用画像データが示す視野検査用画像において、選択された前記領域における識別子を視野検査結果情報として前記検査結果格納部に格納する、請求項２記載の視野視力検査システム。
【請求項４】
選択された前記領域は、前記視野検査用画像において、前記被験者により前記識別子が視認された領域又は前記識別子が視認されなかった領域である、請求項３記載の視野視力検査システム。
【請求項５】
前記表示制御部は、
前記視野検査用画像と共に、前記視野検査用画像において、前記被験者により前記識別子が視認された領域の選択を促すメッセージを表示させる、請求項４記載の視野視力検査システム。
【請求項６】
前記表示部に表示された、前記視力検査用画像データが示す視力検査用画像において、選択された前記視標の画像を特定する情報を、視力検査結果情報として前記検査結果格納部に格納する、請求項３乃至５の何れか一項に記載の視野視力検査システム。
【請求項７】
前記視標は、ランドルト環であって、前記視標の画像を特定する情報は、前記ランドルト環の中心点の座標である、請求項６記載の視野視力検査システム。
【請求項８】
前記画像出力処理部は、
前記視標の画像の大きさが異なる複数の前記視力検査用画像を前記視野視力検査装置へ出力する、請求項６又は７記載の視野視力検査システム。
【請求項９】
前記端末装置は、
前記被験者の網膜に投影させる画像の画像データを生成する画像生成処理部を有し、
前記画像生成処理部は、
投影情報を取得する投影対象取得部と、
前記検査結果格納部に格納された前記視野検査結果情報に基づき、前記識別子が視認された領域に前記投影情報を投影する画像の画像データを生成する画像データ生成部と、
を有し、
前記画像出力処理部は、
前記画像データ生成部が生成した前記画像データを前記視野視力検査装置へ出力する、請求項６乃至８の何れか一項に記載の視野視力検査システム。
【請求項１０】
前記識別子はアラビア数字であり、
前記検査用画像は、
前記複数の領域の中に前記アラビア数字が描画された画像である、請求項９記載の視野視力検査システム。
【請求項１１】
前記画像データ生成部は、
前記検査結果格納部に格納された前記視力検査結果情報に基づき、前記画像データに含まれる文字の画像の大きさを決定する、請求項９又は１０記載の視野視力検査システム。
【請求項１２】
光線を出射する光源部と、
検査用画像データを入力する画像入力部と、
入力された前記検査用画像データに基づいた光線を生成して、前記光源部から画像用光線の出射制御を行う制御部と、
前記画像用光線を走査して検査用画像光線を生成する走査ミラーと、
前記検査用画像光線を検査用画像として被験者の眼球に投影する投影部とを有し、
前記検査用画像データは、それぞれに識別子を含む複数の領域に区分されている視野検査用画像データと、視標の画像を含む視力検査用画像データと、を含む、視野視力検査装置。
【請求項１３】
視野視力検査装置と、前記視野視力検査装置と通信を行う端末装置と、を有する視野視力検査システムによる視野検査方法であって、
前記端末装置が、
検査用画像データを画像データ保持部に保持する手順と、
前記検査用画像データを前記視野視力検査装置へ出力する手順と、
画像を表示する表示部に、前記検査用画像データから検査用画像を生成して表示する手順と、を有し、
前記視野視力検査装置が、
前記端末装置からの検査用画像データを入力する手順と、
入力された前記検査用画像データに基づいた光線を生成して、前記光線を出射する光源部からの画像用光線の出射制御を行う手順と、
前記画像用光線を走査ミラーにより走査して検査用画像光線を生成する手順と、
前記検査用画像光線を検査用画像として被験者の眼球に投影する手順と、を有し、
前記検査用画像データは、それぞれに識別子を含む複数の領域に区分されている視野検査用画像データと、視標の画像を含む視力検査用画像データと、を含む、視野検査方法。
【請求項１４】
コンピュータによる視野視力検査プログラムであって、
それぞれに識別子を含む複数の領域に区分されている視野検査用画像データと、視標の画像を含む視力検査用画像データと、を保持するステップと、
検査の種類の選択を受け付けるステップと、
前記視野検査用画像データと、前記視力検査用画像データの何れか一方を、前記選択に応じて視野視力検査装置へ出力するステップと、
前記コンピュータが有する表示部に、前記視野検査用画像データから生成される視野検査用画像、又は、前記視力検査用画像データから生成される視力検査用画像を表示させるステップと、
前記表示部に表示された前記視野検査用画像において選択された領域の識別子、又は、前記表示部に表示された前記視力検査用画像において選択された前記視標の画像を特定する情報を、検査結果情報として検査結果格納部に格納するステップと、を前記コンピュータに実行させ、
前記視野視力検査装置は、前記視野検査用画像データ又は前記視力検査用画像データを被験者の眼球の網膜へ投影する視野視力検査装置である、視野視力検査プログラム。
【請求項１５】
検査用画像データを保持する画像データ保持部と、
前記検査用画像データを端末装置へ出力する画像出力処理部と、
前記検査用画像データから検査用画像を生成して前記端末装置の表示部に表示させる表示制御部と、
前記端末装置の表示部に表示された前記検査用画像において、選択された領域の識別子が検査結果情報として格納される検査結果格納部と、を有し、
前記検査用画像データは、
前記検査用画像データは、視野検査用画像データと、視標の画像を含む視力検査用画像データと、を含み、
前記端末装置は、
前記検査用画像データを被験者の眼球の網膜へ投影する出力する端末装置である、サーバ装置。
【発明の詳細な説明】
【技術分野】
【０００１】
本発明は、視野視力検査システム、視野視力検査装置、視野視力検査方法、視野視力検査プログラム及びサーバ装置に関する。
【背景技術】
【０００２】
従来から、人間の周辺視野を測定する視野検査装置が知られている。従来の視野検査装置による視野検査では、被験者に注視点を注視させた状態で注視点の周辺に視標を提示し、視標が見えたか否かを示す被験者からの回答に基づき、被験者の視野の範囲を求める方式が一般的である。
【０００３】
また、従来の視力検査では、視力検査用の視標と被験者との距離を一定に保ち、視標の形状を被験者に回答させることで、被験者の視力を測定する方式が一般的である。
【先行技術文献】
【特許文献】
【０００４】
【特許文献１】特開２００３−５４２号公報
【特許文献２】特開２０１４−１８８２５４号公報
【発明の概要】
【発明が解決しようとする課題】
【０００５】
従来の方式では、点滅する輝点を視標とし、視標を提示する位置を、注視点の周辺から被験者の視野の外まで変更していくため、視野検査にある程度の時間がかかる。また、従来の方式では、被験者の視野を覆った状態で点滅する輝点を提示するための大型の筐体や、検査を行うための遮光された空間が必要となる。
【０００６】
さらに、従来の視力検査でも、視標と被験者との間で一定の距離を保つことができる空間が必要となる。
【０００７】
開示の技術は、上述した事情に鑑みて成されたものであり、容易に視野検査と視力検査を行うことが可能な視野視力検査システム、視野視力検査装置、視野視力検査方法、視野視力検査プログラム及びサーバ装置を提供することを目的としている。
【課題を解決するための手段】
【０００８】
開示の技術は、視野視力検査装置と、前記視野視力検査装置と通信を行う端末装置と、を有する視野視力検査システムであって、前記端末装置は、検査用画像データを保持する画像データ保持部と、前記検査用画像データを前記視野視力検査装置へ出力する画像出力処理部と、画像を表示する表示部と、前記検査用画像データから検査用画像を生成して前記表示部に表示する表示制御部と、を有し、前記視野視力検査装置は、光線を出射する光源部と、前記端末装置からの検査用画像データを入力する画像入力部と、入力された前記検査用画像データに基づいた光線を生成して、前記光源部から画像用光線の出射制御を行う制御部と、前記画像用光線を走査して検査用画像光線を生成する走査ミラーと、前記検査用画像光線を検査用画像として被験者の眼球に投影する投影部とを有し、前記検査用画像データは、それぞれに識別子を含む複数の領域に区分されている視野検査用画像データと、視標の画像を含む視力検査用画像データと、を含む。
【発明の効果】
【０００９】
容易に視野検査と視力検査を行うことができる。
【図面の簡単な説明】
【００１０】
【図１】第一の実施形態における視野検査の概要を説明する図である。
【図２】第一の実施形態の視力検査について説明する図である。
【図３】視野視力検査装置の上視図である。
【図４】視野視力検査装置の投影部近傍を拡大した図である。
【図５】第１ミラーの振動を説明する図である。
【図６】端末装置のハードウェア構成の一例を説明する図である。
【図７】第一の実施形態の視野視力検査システムのシステム構成を説明する図である。
【図８】第一の実施形態の検査処理部を説明する図である。
【図９】第一の実施形態の視野検査用画像の第一の例を示す図である。
【図１０】第一の実施形態の視野検査用画像の第二の例を示す図である。
【図１１】第一の実施形態の視力検査用画像の例を示す第一の図である。
【図１２】第一の実施形態の視力検査用画像の例を示す第二の図である。
【図１３】ランドルト環について説明する図である。
【図１４】第一の実施形態の視力検査用画像の例を示す第三の図である。
【図１５】第一の実施形態の視力検査用画像の例を示す第四の図である。
【図１６】第一の実施形態の視力検査用画像の例を示す第五の図である。
【図１７】コントラスト感度の検査に用いる画像の一例を示す図である。
【図１８】乱視の検査に用いる画像の一例を示す図である。
【図１９】第一の実施形態の端末装置の動作を説明するフローチャートである。
【図２０】第一の実施形態の視野検査結果の入力画面の一例を示す図である。
【図２１Ａ】被験者Ｐの視野検査用画像の見え方の一例を示す図である。
【図２１Ｂ】図２１Ａに示す見え方の被験者が視野検査用画像を見た場合の見え方の一例を示す図である。
【図２２】第一の実施形態における視野検査結果が入力された状態の入力画面の一例を示す第一の図である。
【図２３】第一の実施形態の視野検査結果テーブルの一例を示す第一の図である。
【図２４Ａ】被験者Ｑの視野検査用画像の見え方の一例を示す図である。
【図２４Ｂ】図２４Ａに示す見え方の被験者が視野検査用画像を見た場合の見え方の一例を示す図である。
【図２５】第一の実施形態における視野検査結果が入力された状態の入力画面の一例を示す第二の図である。
【図２６】第一の実施形態の視野検査結果テーブルの一例を示す第二の図である。
【図２７】図２４Ａに示す見え方の被験者が視力検査用画像を見た場合の見え方の一例を示す図である。
【図２８】第一の実施形態における視力検査結果が入力された状態の入力画面の一例を示す図である。
【図２９】第一の実施形態の視力検査結果テーブルの一例を示す第一の図である。
【図３０】第一の実施形態の視力検査結果テーブルの一例を示す第二の図である。
【図３１】第二の実施形態の視野視力検査システムのシステム構成を説明する図であ
【図３２】第二の実施形態の画像生成処理部の機能を説明する図である。
【図３３】第二の実施形態の画像生成処理部の動作を説明するフローチャートである。
【図３４】画像生成処理部が生成する画像データの例を示す図である。
【図３５】第三の実施形態の視野視力検査システムのシステム構成を説明する図である。
【図３６】第四の実施形態の視野視力検査システムのシステム構成を説明する図である。
【発明を実施するための形態】
【００１１】
（第一の実施形態）
以下に図面を参照して、第一の実施形態について説明する。本実施形態の視野視力検査システムでは、視野視力検査装置と、端末装置と、を用いて、被験者の視野検査や、網膜視力の検査を行う。始めに、本実施形態における視野検査について説明する。図１は、第一の実施形態における視野検査の概要を説明する図である。
【００１２】
本実施形態の視野視力検査システム１００では、被験者Ｐが装着した視野視力検査装置２００により、被験者Ｐの網膜に対し、複数の領域に分割された視野検査用画像Ｇを直接投影させ、視野検査用画像Ｇにおいて、被験者Ｐが見えた領域と見えなかった領域とを特定することで、被験者Ｐが目で見られる範囲（視野）を特定する。
【００１３】
本実施形態の視野視力検査装置２００は、マクスウェル視を利用した網膜投影型ヘッドマウントディスプレイである。マクスウェル視とは、画像データに基づく画像用光線を一旦瞳孔の中心で収束させてから網膜上に投影することで、人の水晶体の調節機能に影響されずに人に、画像データが表す画像を視認させる方法である。
【００１４】
本実施形態の端末装置３００は、例えばタブレット型のコンピュータやスマートフォン等であり、視野検査用画像Ｇを表す画像データを視野視力検査装置２００へ送信する。また、本実施形態の端末装置３００は、視野検査用画像Ｇを含む画面をディスプレイ３０８に表示させ、被験者Ｐが見えた領域と見えなかった領域とを入力させる。尚、ディスプレイ３０８は、表示部の一例である。
【００１５】
視野視力検査装置２００は、端末装置３００から送信された画像データに基づく画像用光線を被験者Ｐの網膜に照射することで、被験者Ｐの網膜上の所定の位置に視野検査用画像Ｇを投影させる。
【００１６】
人の網膜に直接投影された画像は、網膜の機能が正常であれば、画像データにより表される画像の通りに視認される。しかし、網膜の機能や視神経等に問題がある場合には、網膜に投影された画像は、画像データにより表される画像とは異なる態様で視認される。
【００１７】
例えば、網膜が歪んでいる場合には、網膜に投影された画像は、網膜の歪み通りに歪んだ画像として視認される。また、例えば視野が欠損している場合には、網膜に投影された画像は、欠損した視野の部分が欠落した画像として視認される。
【００１８】
このように、網膜や視神経等に何らかの異常がある場合には、網膜に投影された画像がその通りに視認されない。言い換えれば、見え方に何らかの異常がある場合には、網膜に投影された画像を視認した際に、視認された画像にその異常が反映される。
【００１９】
本実施形態では、この点に着目し、被験者の網膜に投影された検査用画像において、被験者によって視認された領域と、視認されなかった領域とを特定することで、被験者の視野を特定する。
【００２０】
より具体的には、本実施形態の視野視力検査システム１００では、視野検査用画像Ｇは、中央に注視点Ｍが設けられており、且つ複数の領域に分割され、各領域を識別するための識別子（文字）が描かれた画像とする。
【００２１】
そして、本実施形態では、被験者Ｐに、端末装置３００のディスプレイ３０８に表示させた視野検査用画像Ｇにおいて、注視点Ｍを注視するように促した上で、描かれた文字を読めた領域と読めなかった領域とを入力させる。
【００２２】
つまり、本実施形態では、端末装置３００における入力結果が、被験者Ｐの視野検査の結果となる。
【００２３】
したがって、本実施形態によれば、マクスウェル視を利用しているため、視野検査用画像Ｇを網膜の所定の位置に直接投影させることができ、被験者Ｐは網膜に投影された視野検査用画像Ｇを視認するだけでよく、視線が多少移動しても、検査用画像が網膜上で移動してしまうことを回避できる。さらには、本実施形態によれば、視標となる輝点の提示位置を徐々に変更しているといったこともなく、視野検査用画像Ｇを見るだけで視野を特定できるため、検査時間が大幅に短縮される。
【００２４】
また、本実施形態によれば、遮光された空間や、被験者の視野を覆うための大型の筐体等が不要となり、任意の場所で視野検査を行うことができる。
【００２５】
以上のように、本実施形態によれば、被験者の負担を軽減できる。また、本実施形態によれば、従来のような大型な筐体は必要がなく、簡素な構成で簡単に視野検査を行うことができる。
【００２６】
尚、図１の例では、視野視力検査装置２００は、一般的な眼鏡のような形状としたが、これに限定されない。例えば被験者Ｐの両眼を覆うゴーグルのような形状であっても良い。
【００２７】
また、被験者Ｐが端末装置３００において視野検査の結果を入力する場合には、装着した視野視力検査装置２００を外してから入力を行っても良いし、視野検査を行っていないほうの目で端末装置３００のディスプレイ３０８に表示された視野検査用画像Ｇを見て、入力を行っても良い。
【００２８】
また、視野視力検査装置２００を装着した状態で、端末装置３００に検査結果を入力することが困難である場合には、端末装置３００への入力を検査補助者に依頼しても良い。この場合には、例えば、被験者Ｐは、視認できた文字を読み上げる等して、文字が読めた領域を検査補助者に伝えれば良い。さらに、端末装置３００が音声入力部（マイク等）と、音声認識機能を有する場合には、被験者Ｐが視認できた文字を読み上げることで、被験者Ｐの音声により直接検査結果を入力することができる。
【００２９】
次に、本実施形態の視力検査について説明する。図２は、第一の実施形態の視力検査について説明する図である。
【００３０】
本実施形態の視野視力検査システム１００では、視力検査を行う場合、端末装置３００は、視力検査用画像Ｔを表す画像データを視野視力検査装置２００へ送信する。また、本実施形態の端末装置３００は、視力検査用画像Ｔを含む画面をディスプレイ３０８に表示させ、被験者Ｐによる視力検査の結果を入力させる。
【００３１】
本実施形態の視野視力検査装置２００は、視力検査においても、端末装置３００から送信された画像データに基づく画像用光線を被験者Ｐの網膜に照射することで、被験者Ｐの網膜上の所定の位置に視力検査用画像Ｔを投影させる。
【００３２】
本実施形態の視力検査用画像Ｔは、図２に示すように、中央に注視点Ｍが設けられており、縦方向と横方向に複数のランドルト環が配置された画像である。尚、本実施形態の視力検査用画像Ｔは、ランドルト環の大きさがことなる複数の画像を含む。
【００３３】
本実施形態では、図２に示すように、視野検査用画像Ｔを被験者Ｐの網膜に直接投影することで、被験者の網膜そのものの視力を測定することができる。
【００３４】
網膜そのものの視力とは、例えば、毛様体筋による水晶体の厚さの調整等によって変化する一般的な視力とはことなり、網膜の黄斑部の働きを示すものである。
【００３５】
例えば、網膜の視力は、視力検査用画像Ｔにおいて、切れ目の位置を判別できるランドルト環が大きいほど低く、切れ目の位置を判別できるランドルト環が大きいほど高い。
【００３６】
このように、本実施形態では、水晶体等に影響されない網膜そのものの視力を測定することが可能となる。このため、本実施形態は、例えば、白内障等の疾患によって水晶体を人工レンズに交換する処置を行った場合の視力の回復の程度の予測等に用いることができる。
【００３７】
本実施形態の視野視力検査システム１００による視力検査では、例えば、被験者Ｐが、視野視力検査装置２００を装着した状態で、網膜に投影された視力検査用画像Ｔのランドルト環の切れ目の位置を検査補助者に伝えても良い。そして、検査補助者は、視力検査用画像Ｔのランドルト環のうち、被験者Ｐが切れ目の位置を正しく判別できたランドルト環を、ディスプレイ３０８において選択することで、検査結果を端末装置３００に入力しても良い。
【００３８】
次に、図３乃至図６を参照して、本実施形態の視野視力検査システム１００の有する各装置について説明する。
【００３９】
図３は、視野視力検査装置の上視図である。本実施形態の視野視力検査装置２００は、投影部２１０、制御部２３０を備える。
【００４０】
本実施形態の投影部２１０は、光源２１１、走査ミラー２１２、ミラー２１３、ミラー２１４、ミラー２１５、投射部２１６を備える。
【００４１】
光源２１１は、メガネ型フレームのツル２５０に配置されている。光源２１１は、制御部２３０の指示の下、例えば単一又は複数の波長の光線Ｌを出射する。この光線Ｌは、ユーザの眼球２６０の網膜２６１に画像を投影するための画像用光線である。以下の説明では、光線Ｌを画像用光線と呼ぶ。
【００４２】
光源２１１は、例えば赤色レーザ光（波長：６１０ｎｍ〜６６０ｎｍ程度）、緑色レーザ光（波長：５１５ｎｍ〜５４０ｎｍ程度）、及び青色レーザ光（波長：４４０ｎｍ〜４８０ｎｍ程度）を出射する。赤色、緑色、及び青色レーザ光を出射する。本実施形態の光源２１１は、光源２１１として、例えばＲＧＢ（赤・緑・青）それぞれのレーザダイオードチップと３色合成デバイスとマイクロコリメートレンズと、が集積された光源等により実現される。
【００４３】
走査ミラー２１２は、メガネ型フレームのツル２５０に配置されている。走査ミラー２１２は、光源２１１から出射された画像用光線を、水平方向及び垂直方向に走査する。走査ミラー２１２は、例えばＭＥＭＳ（Micro Electro Mechanical System）ミラーである。なお、光源２１１から出射された画像用光線は、例えばミラー２１３及びミラー２１４で反射されて、走査ミラー２１２に入射する。
【００４４】
本実施形態の制御部２３０は、ＣＰＵ（CentralProcessing Unit）等のプロセッサ並びにＲＡＭ（Random Access Memory）及びＲＯＭ（Read Only Memory）等により実現される。
【００４５】
プロセッサ及びメモリは、例えば走査ミラー２１２（ＭＥＭＳミラー）が実装された基板と同じ基板に実装されていても良い。また、プロセッサ及びメモリは、視野視力検査装置２００と接続された外部装置（例えば端末装置３００等）に設けられたものであっても良い。
【００４６】
本実施形態の制御部２３０は、投影部２１０を制御する。制御部２３０は、入力された画像データに基づく画像用光線を光源２１１から出射させる。また、本実施形態の制御部２３０は、走査ミラー２１２（ＭＥＭＳミラー）を振動させて、光源２１１から出射された画像用光線を走査し、網膜２６１に画像を投影させる。
【００４７】
尚、本実施形態の視野視力検査装置２００では、メガネ型フレームの左右の両方に、図２に示す各部が設けられていても良いし、制御部２３０以外の各部がメガネ型フレームの左右の両方に設けられており、制御部２３０を左右共通のものとしても良い。また、本実施形態では、図２に示す各部がメガネ型フレームの左右の何れか一方に設けられていても良い。この場合、例えば左目の視野検査を行う場合には、メガネ型フレームの左側に図２の各部が設けられた視野視力検査装置２００を用い、右目の視野検査を行う場合には、メガネ型フレームの模擬側に図３の各部が設けられた視野視力検査装置２００を用いれば良い。
【００４８】
次に、図４及び図５により、視野視力検査装置２００の投影部２１０による画像の投影について説明する。
【００４９】
図４は、視野視力検査装置の投影部近傍を拡大した図である。
【００５０】
図３及び図４のように、走査ミラー２１２で走査された画像用光線は、ミラー２１５によって、メガネ型フレームのレンズ２５１に向かって反射される。本実施形態では、投影部２１０が、レンズ２５１の眼球２６０側の面に配置されているため、走査ミラー２１２で走査された画像用光線は、投射部２１６に入射する。
【００５１】
投射部２１６は、画像用光線が入射される領域２１６ａでは、自由曲面又は自由曲面と回折面の合成構造をしたハーフミラーとなっている。これにより、投射部２１６に入射された画像用光線は、眼球２６０の瞳孔２６２近傍で収束した後に網膜２６１に投射される。
【００５２】
よって、被験者は、画像用光線で形成される画像を認識することができると共に、外界像をシースルーで視認することができる。
【００５３】
図５は、第１ミラーの振動を説明する図である。尚、図４では、走査ミラー２１２が点Ａから点Ｂまで振動した場合を示している。
【００５４】
走査ミラー２１２によって画像用光線を走査して網膜２６１に画像を投影する方法として、画像を投影する領域の左上から右下に向かって光を高速に走査し、画像を表示させる方法（例えばラスタースキャン）がある。
【００５５】
本実施形態では、図５に示すように、走査ミラー２１２は、画像用光線（光線Ｌ）を走査するために、網膜２６１に画像が投影される領域Ｈ（図４の破線範囲）よりも大きく、水平方向（第１方向）と垂直方向（第１方向に交差する第２方向）と、に振動する。図５では、走査ミラー２１２の振動を符号５０で示している。
【００５６】
走査ミラー２１２が大きく振れた箇所で画像用光線を走査して網膜２６１に画像を投影する場合、画像の歪みが大きくなる。したがって、本実施形態では、画像用光線は、走査ミラー２１２の振れが小さい箇所で走査される。
【００５７】
尚、図５では、画像用光線は矩形状に走査される場合を例に示しているが、この場合に限られず、台形状に走査される場合など、その他の場合でもよい。
【００５８】
また、本実施形態では、画像が投影される領域Ｈは、被験者の視野を覆う大きさであることが好ましい。被験者の視野を覆う大きさとは、例えば、網膜に投影された画像が、片目では鼻側および上側で約６０度、下側に約７０度、耳側に約９０〜１００度を覆う大きさである。
【００５９】
本実施形態では、画像（検査用画像）が投影される領域を、被験者の視野を覆う大きさとすれば、視野の欠損や網膜や視神経等に異常がない被験者に対しても、適切な視野検査を行うことができる。
【００６０】
尚、予め視野の一部に欠損があることが分かっている被験者等に対しては、画像が投影される領域Ｈは、上述した、「片目では鼻側および上側で約６０度、下側に約７０度、耳側に約９０〜１００度の覆われるような大きさ」よりも小さくても良い。
【００６１】
次に、本実施形態の端末装置３００について説明する。図６は、端末装置のハードウェア構成の一例を説明する図である。
【００６２】
本実施形態の端末装置３００は、それぞれバスＢで相互に接続されている表示操作装置３０１、ドライブ装置３０２、補助記憶装置３０３、メモリ装置３０４、演算処理装置３０５及びインターフェース装置３０６を含む。
【００６３】
表示操作装置３０１は、タッチパネル等であり、情報を表示させる表示機能と、情報を入力する入力機能とを有する。インターフェース装置３０６は、ＬＡＮカード等を含み、ネットワークに接続する為に用いられる。
【００６４】
端末装置３００において実行される視野視力検査プログラムは、端末装置３００を制御する各種プログラムの少なくとも一部である。視野視力検査プログラムは例えば記録媒体３０７の配布やネットワークからのダウンロードなどによって提供される。視野視力検査プログラムを記録した記録媒体３０７は、ＣＤ−ＲＯＭ、フレキシブルディスク、光磁気ディスク等の様に情報を光学的、電気的或いは磁気的に記録する記録媒体、ＲＯＭ、フラッシュメモリ等の様に情報を電気的に記録する半導体メモリ等、様々なタイプの記録媒体を用いることができる。
【００６５】
また、視野視力検査プログラムは、視野視力検査プログラムを記録した記録媒体３０７がドライブ装置３０２にセットされるとは記録媒体３０７からドライブ装置３０２を介して補助記憶装置３０３にインストールされる。ネットワークからダウンロードされた視野視力検査プログラムは、インターフェース装置３０６を介して補助記憶装置３０３にインストールされる。
【００６６】
補助記憶装置３０３は、インストールされた視野視力検査プログラムを格納すると共に、必要なファイル、データ等を格納する。メモリ装置３０４は、コンピュータの起動時に補助記憶装置３０３から視野視力検査プログラムを読み出して格納する。そして、演算処理装置３０５はメモリ装置３０４に格納された視野視力検査プログラムに従って、後述するような各種処理を実現している。
【００６７】
尚、本実施形態では、端末装置３００は、表示操作装置３０１を有するものとしたが、これに限定されない。端末装置３００は、例えばデスクトップ型やノート型のコンピュータであっても良い。その場合、端末装置３００は、表示操作装置３０１の代わりに、情報を入力するために用いられるマウスやキーボード等の入力装置と、情報を表示するディスプレイ等の出力装置を有していても良い。
【００６８】
次に、図７を参照し、本実施形態の視野視力検査システム１００について説明する。図７は、第一の実施形態の視野視力検査システムのシステム構成を説明する図である。
【００６９】
本実施形態の視野視力検査システム１００は、視野視力検査装置２００と端末装置３００とを有する。視野視力検査システム１００において、視野視力検査装置２００は、端末装置３００と接続されており、端末装置３００と通信を行う。
【００７０】
尚、図７の例では、視野視力検査装置２００と端末装置３００とは、無線により通信を行うものとしているが、これに限定されない。視野視力検査装置２００と端末装置３００とは、通信が可能な状態で接続されれば、どのような方法で接続されていても良い。
【００７１】
本実施形態の端末装置３００は、検査処理部３１０、画像出力処理部３２０、検査結果格納部３３０を有する。
【００７２】
本実施形態の検査処理部３１０は、視野検査用画像Ｇと対応する検査用画像データと、視力検査用画像Ｔと対応する検査用画像データと、を保持しており、これらの検査用画像データを画像出力処理部３２０へ渡す。
【００７３】
また、本実施形態の検査処理部３１０は、視野検査用画像Ｇ又は視力検査用画像Ｔを自機の画面に表示させ、被験者の検査結果の入力を受けて、検査結果を示す検査結果情報を検査結果格納部３３０に格納する。検査処理部３１０の詳細は後述する。
【００７４】
画像出力処理部３２０は、検査処理部３１０から受け取った画像データを、外部の装置へ出力する。具体的には、本実施形態の画像出力処理部３２０は、視野検査用画像データや、視力検査用画像データを視野視力検査装置２００へ出力（送信）する。
【００７５】
検査結果格納部３３０は、視野検査結果テーブル３３１と、視力検査結果テーブル３３２と、を有する。視野検査結果テーブル３３１には、視野視力検査装置２００を装着した被験者の視野検査の検査結果が格納される。視力検査結果テーブル３３２には、視野視力検査装置２００を装着した被験者の視力検査の検査結果が格納される。視野検査結果テーブル３３１と、視力検査結果テーブル３３２の詳細は後述する。
【００７６】
次に、図８を参照して、本実施形態の検査処理部３１０について説明する。図８は、第一の実施形態の検査処理部を説明する図である。図７に示す各部は、端末装置３００の演算処理装置３０５がメモリ装置３０４等に格納された視野視力検査プログラムを読み出して実行することで実現される。
【００７７】
本実施形態の検査処理部３１０は、画像データ保持部３１１、表示制御部３１２、入力受付部３１３、画像データ選択部３１４、検査結果格納制御部３１５を有する。
【００７８】
画像データ保持部３１１は、視野検査用画像Ｇと対応する視野検査用の画像データと、視力検査用画像Ｔと対応する視力検査用の画像データと、を保持している。本実施形態の画像データ保持部３１１は、検査の開始要求を受け付けると、実施される検査に応じた画像データを画像出力処理部３２０と、表示制御部３１２に渡す。
【００７９】
尚、本実施形態の視野視力検査システム１００では、検査用画像データは、画像データ保持部３１１のみが保持するものとしたが、これに限定されない。検査用画像データは、視野視力検査装置２００の制御部２３０によっても保持されていて良い。
【００８０】
表示制御部３１２は、検査用画像データを受け付けると、端末装置３００のディスプレイ３０８に、検査用画像を含む検査結果の入力画面を表示させる。より具体的には、表示制御部３１２は、視野検査用画像Ｇを含む検査結果の入力画面や、視力検査用画像Ｔを含む検査結果の入力画面を表示させる。また、本実施形態の表示制御部３１２は、検査の実施の要求を受けて、視野検査又は視力検査を選択するための選択画面を表示させても良い。
【００８１】
入力受付部３１３は、表示操作装置３０１において行われる各種の操作に応じた入力を受付ける。具体的には、入力受付部３１３は、検査の開始要求や、実施する検査の選択や、検査結果の入力画面における入力等を受け付ける。
【００８２】
画像データ選択部３１４は、画像データ保持部３１１に保持された検査用の画像データから、入力受付部３１３が受け付けた検査の種類に応じた画像データを選択し、表示制御部３１２へ渡す。
【００８３】
具体的には、画像データ選択部３１４は、検査の選択画面において、視野検査が選択された場合には、視野検査用画像Ｇと対応する画像データを選択し、視力検査が選択された場合には、視力検査用画像Ｔと対応する画像データを選択して、表示制御部３１２へ渡す。
【００８４】
検査結果格納制御部３１５は、入力受付部３１３が受け付けた検査結果を、被験者の情報及び検査結果の入力を受け付けた日時を示す情報と対応付けて、検査結果格納部３３０に格納する。
【００８５】
次に、図９と図１０を参照し、本実施形態の視野検査用画像Ｇについて説明する。図９は、第一の実施形態の視野検査用画像の第一の例を示す図であり、図１０は、視野検査用画像の第二の例を示す図である。
【００８６】
図９に示す視野検査用画像Ｇは、縦方向と横方向のそれぞれにおいて、複数の領域に分割されている。言い換えれば、視野検査用画像Ｇは、矩形上の領域の集合により形成される。
【００８７】
視野検査用画像Ｇにおける各領域には、各領域を識別する識別子として、アラビア数字が描画されている。尚、領域の識別子は、アラビア数字に限定されない。領域の識別子は、例えば他の種類の数字であっても良いし、平仮名や漢字であっても良いし、アルファベットやその他の言語の文字であっても良い。
【００８８】
また、視野検査用画像Ｇでは、中央部分に注視点Ｍが形成される。尚、図９の例では、注視点Ｍを示すマークを「＋」としているが、注視点を示すマークの形状は、これに限定されにない。注視点を示すマークの形状は、どのような形状でも良く、被験者Ｐに注視すべき点を示すことができれば良い。
【００８９】
視覚の障害の中には、画像等は判別できても文字を判別できない、といった種類の障害も存在している。本実施形態では、領域の識別子を文字とすることで、領域毎の識字能力の有無を判定することもできる。
【００９０】
本実施形態の領域の識別子を文字とすることで、上述した効果を得ることができるが、この識別子は、必ずしも文字でなくても良い。例えば、領域の識別子として、領域毎に画像等を表示させても良い。
【００９１】
例えば、図９において、識別子が「１」の領域に、りんごの画像を表示させ、識別子が「２」の領域に、自動車の画像を表示させる、と言ったようにしても良い。また、例えば識別子が「１」の領域に、星型のマークの画像を表示させ、識別子が「２」の領域に、ハート型のマークの画像を表示させる、と言ったようにしても良い。
【００９２】
識別子を文字ではなく、上述したような画像とすれば、例えば識字能力を有していない被験者に対しても、検査用画像において、被験者が見える領域と見えない領域を判別させることができる。
【００９３】
また、図９では、視野検査用画像Ｇに含まれる領域の数を１００としているが、領域の数はこれに限定されない。視野検査用画像Ｇにおける領域の数は、視野検査用画像Ｇが投影される領域の大きさに応じて決められても良い。また、視野検査用画像Ｇにおける領域の数は、被験者が見える領域と見えない領域とを把握できる程度であれば良い。
【００９４】
視野検査用画像Ｇでは、領域の数が多すぎれば、被験者の負担となることが推測され、領域の数が少なすぎれば、見える領域と見えない領域を適切に把握できなくなることが推測される。そこで、本実施形態では、視野検査用画像Ｇにおける領域の数は、被験者の負担を増大させずに、被験者の見える領域と見えない領域を適切に把握できる程度とすることが好ましい。この領域の数は、例えば、本実施形態の視野視力検査システム１００を用いた視野検査を繰り返した結果から、予め決定されていても良い。
【００９５】
また、本実施形態では、視野検査用画像Ｇに含まれる領域を矩形としたが、これに限定されない。視野検査用画像Ｇに含まれる領域の形状は、円形であっても良いし、楕円形であっても良いし、正方形であっても良い。
【００９６】
図１０に示す視野検査用画像Ｇ１は、中央部の注視点Ｍから遠い領域ほど、領域内に描画される識別子のサイズを大きくしたものである。
【００９７】
視野検査において、被験者Ｐに視野検査用画像Ｇ１の中央部にある注視点を注視させた場合、注視点の近傍の領域の識別子は被験者Ｐにとって視認しやすく、注視点から離れた領域の識別子ほど、被験者Ｐにとって視認しにくくなる。
【００９８】
そこで、視野検査用画像Ｇ１では、注視点Ｍを中心に、注視点Ｍから離れた場所にある識別子ほど大きく描画することで、視野検査用画像Ｇ１の周囲の識別子の視認性を高めることができる。また、視野検査用画像Ｇ１は、網膜自体の視力分布の測定にも利用できる。
【００９９】
次に、図１１乃至図１８を参照して、視力検査用画像について説明する。図１１は、第一の実施形態の視力検査用画像の例を示す第一の図である。
【０１００】
図１１に示す視力検査用画像Ｔでは、１１列のランドルト環が６行に渡って配置されている。本実施形態では、視力検査用画像Ｔに含まれる各ランドルト環の中心を示す座標が、視力検査用画像Ｔに対応付けられていても良い。
【０１０１】
例えば、視力検査用画像Ｔが、視力検査の検査結果の入力画面に表示された際に（図２参照）、視力検査用画像Ｔにおいて、ランドルト環１２１〜１２３について、被験者が切れ目を判別できなかった場合を考える。この場合、本実施形態では、被験者が切れ目を特定できなかったランドルト環を特定する情報として、ランドルト環１２１〜１２３のそれぞれの中心点Ｐ１、Ｐ２、Ｐ３の座標を出力しても良い。
【０１０２】
図１２は、第一の実施形態の視力検査用画像の例を示す第二の図である。図１２に示す視力検査用画像Ｔ１では、５列のランドルト環が３行に渡って配置されており、視力検査用画像Ｔ１のランドルト環は、図１１に示す視力検査用画像Ｔのランドルト環と比べて大きいことがわかる。
【０１０３】
本実施形態では、例えば、図１１及び図１２に示す視力検査用画像以外にも、視力の段階と対応した大きさのランドルト環が配置された、視力の段階と対応した視力検査用画像を有するものとした。
【０１０４】
そして、本実施形態では、被験者の視力に応じて、被験者の網膜に投影させるランドルト環の大きさが選択され、選択された大きさのランドルト環が配置された視力検査用画像を被験者の網膜に投影させても良い。このとき、被験者の網膜に投影させるランドルト環の大きさは、例えば、被験者によって選択されても良いし、検査補助者によって選択されても良い。
【０１０５】
本実施形態では、視力検査用画像Ｔのランドルト環の大きさを、小刻みに変えたり、連続的に変えたりすることで、小数点以下２桁の視力測定まで行うことができる。
【０１０６】
次に、図１３を参照して、ランドルト環について説明する。図１３は、ランドルト環について説明する図である。
【０１０７】
ランドルト環は、黒色の円環で、円環全体の直と、円弧の幅と、輪の開いている幅（切れ目の幅）とが、５：５：１とされている。
【０１０８】
本実施形態では、例えば、５ｍの距離から、約１．４５ｍｍの切れ目を判別できる場合に、視力１．０とされる。より具体的には、直径７．５ｍｍであり、円弧の幅１．５ｍｍであり、切れ目の幅が１．５ｍｍのランドルト環を５ｍ離れたところから見て、切れ目の位置を特定できる視力を「視力１．０」としても良い。
【０１０９】
したがって、本実施形態では、例えば、視力が１．０以上であるか否かを計測する場合には、直径７．５ｍｍであり、円弧の幅１．５ｍｍであり、切れ目の幅が１．５ｍｍのランドルト環を５ｍ離れたところから見たときの大きさとなるランドルト環が含まれる視力検査用画像Ｔを視野視力検査装置２００により網膜に投影させれば良い。
【０１１０】
図１４は、第一の実施形態の視力検査用画像の例を示す第三の図である。
【０１１１】
図１４の例では、ランドルト環が表示される位置が異なる視力検査用画像を示している。図１４に示す視力検査用画像Ｔ１１では、ランドルト環は左上に１つ配置されており、視力検査用画像Ｔ１２では、ランドルト環は左下に１つ配置されている。また、図１４に示す視力検査用画像Ｔ１３では、ランドルト環は右上に１つ配置されている。
【０１１２】
本実施形態では、図１４に示すように、ランドルト環が配置された位置が異なる視力検査用画像を順次、被験者の網膜に投影することで、視力に加えて、視野の欠損の有無まで検査することができる。
【０１１３】
尚、図１４では、１つの視力検査用画像に対して１つのランドルト環が配置されるものとしたが、これに限定されない。１つの視力検査用画像に対して複数のランドルト環が配置されていても良い。
【０１１４】
また、図１４の例では、ランドルト環が配置された位置が異なる視力検査用画像を順次、被験者の網膜に投影するものとしたが、これに限定されない。例えば、視力検査用画像は、ランドルト環の位置が移動していく動画として、被験者の網膜に投影されても良い。
【０１１５】
このような視力検査用画像を用いることで、本実施形態では、被験者の視野と視力とを対応付けることができる。言い換えれば、本実施形態では、被験者の網膜における視力の分布を把握することができる。
【０１１６】
図１５は、第一の実施形態の視力検査用画像の例を示す第四の図である。図１５に示す視力検査用画像Ｔ１５では、輝度が異なるランドルト環の画像１５１〜１５６を複数配置している。
【０１１７】
視力検査用画像Ｔ１５では、ランドルト環の画像１５１からランドルト環の画像１５６に向かって輝度が徐々に小さくなっている。
【０１１８】
本実施形態では、このように、ランドルト環の画像の輝度を異ならせることで、被験者が画像を判別するために必要とされる輝度を把握することができる。
【０１１９】
尚、本実施形態の視力検査用画像では、ランドルト環は、黒色の画像としても良いし、例えば、青色、赤色、緑色と言った、黒色以外の色の画像としても良い。本実施形態では、ランドルト環の画像の色を変更することで、視力検査と共に、色覚の異常の有無を検査することができる。
【０１２０】
図１６は、第一の実施形態の視力検査用画像の例を示す第五の図である。本実施形態では、ランドルト環以外の画像によって視力検査を行っても良い。
【０１２１】
図１６に示す視力検査用画像Ｔ１６は、ＥＴＤＲＳ（Early Treatment of Diabetic Retinopathy Study）チャートを含んでいる。
【０１２２】
ＥＴＤＲＳチャートでは、列同士の視標の大きさの差が、０．１ｌｏｇＭＡＲ単位であり、１列に５つの視標が配置される。また、視標となる文字は、ＳｌｏａｎフォントのＳｌｏａｎ  Ｌｅｔｔｅｒ  ｓｅｔ（Ｃ，Ｄ，Ｈ，Ｋ，Ｎ，Ｏ，Ｒ，Ｓ，Ｖ，Ｚの１０文字)である。また、ＥＴＤＲＳチャートでは、それぞれの視標の間隔は視標１つ分であり、結果は列ではなく、視標によって数値化される。
【０１２３】
このように、本実施形態では、ランドルト環以外の視標によって視力検査が行われても良い。ランドルト環以外の視標とは、ＥＴＤＲＳチャート以外には、例えば、タンブリングＥチャート等である。
【０１２４】
図１７は、コントラスト感度の検査に用いる画像の一例を示す図であり、図１８は、乱視の検査に用いる画像の一例を示す図である。
【０１２５】
本実施形態の視力検査用画像Ｔには、例えば、図１７に示すコントラスト感度の検査用画像を含ませても良い。
【０１２６】
図１７に示す画像１７１、１７２は、色のグラデーションを視野全体に投影するための
画像である。本実施形態では、このように、色のグラデーションを被験者の視野に投影させ、被験者が認識できる色を検査結果として入力することで、被験者のコントラスト感度を測定することができる。
【０１２７】
尚、本実施形態では、視野全体に投影される画像は色のグラデーションの画像でなく、視野全体が同一の色となるような画像を複数用意し、この複数の画像を順次投影することで、色のグラデーションを実現しても良い。
【０１２８】
また、本実施形態の視力検査用画像Ｔには、図１８に示す乱視検査用の画像１８１や画像１８２が含まれても良い。こられの画像を視力検査用画像Ｔに含めることで、被験者が乱視であるか否かを検査することができる。
【０１２９】
次に、図１９を参照して本実施形態の端末装置３００の動作について説明する。図１９は、第一の実施形態の端末装置の動作を説明するフローチャートである。
【０１３０】
本実施形態の端末装置３００は、検査処理部３１０において、入力受付部３１３が視野検査の開始要求を受け付けたか否かを判定する（ステップＳ１９０１）。ステップＳ１９０１において、開始要求を受け付けていない場合、検査処理部３１０は、後述するステップＳ１９１１へ進む。
【０１３１】
ステップＳ１９０１において、開始要求を受け付けると、検査処理部３１０は、画像データ選択部３１４により、画像データ保持部３１１が保持している画像データから、視野検査用画像データを選択して読み出し、画像出力処理部３２０と表示制御部３１２へ視野検査用画像データを渡す（ステップＳ１９０２）。
【０１３２】
画像出力処理部３２０は、検査用画像データを視野視力検査装置２００へ送信させる（ステップＳ１９０３）。視野視力検査装置２００では、送信された検査用画像データが制御部２３０に入力されると、投影部２１０により、検査用画像データによる画像用光線を被験者の網膜へ走査し、視野検査用画像Ｇを被験者に視認させる。
【０１３３】
表示制御部３１２は、検査用画像データに基づき、視野検査用画像Ｇを含む検査結果の入力画面を端末装置３００のディスプレイ３０８に表示させる（ステップ１Ｓ９０４）。検査結果の入力画面の詳細は後述する。
【０１３４】
続いて、検査処理部３１０は、入力受付部３１３により、入力画面において、検査結果の入力を受け付けたか否かを判定する（ステップＳ１９０５）。ステップＳ１９０５において、検査結果の入力を受け付けない場合、入力受付部３１３は、後述するステップＳ１９０８へ進む。
【０１３５】
ステップＳ１９０５において、検査結果の入力を受け付けると、入力受付部３１３は、検査結果の保存指示を受け付けたか否かを判定する（ステップＳ１９０６）。ステップＳ１９０６において、保存指示を受け付けない場合、入力受付部３１３は、後述するステップＳ１９１０へ進む。
【０１３６】
ステップＳ１９０６において、保存指示の入力を受け付けると、検査処理部３１０は、検査結果格納制御部３１５により、入力された検査結果を検査結果格納部３３０に格納し（ステップＳ１９０７）、処理を終了する。
【０１３７】
ステップＳ１９０５において、検査結果の入力を受け付けない場合、入力受付部３１３は、所定時間が経過したか否かを判定する（ステップＳ１９０８）。ステップＳ１９０８において、所定時間が経過していない場合、入力受付部３１３は、ステップＳ１９０５へ戻る。
【０１３８】
ステップＳ１９０８において、所定時間が経過した場合、検査処理部３１０は、表示制御部３１２により、視野検査の実施が正常に行われなかった旨を端末装置３００に表示させ（ステップＳ１９０９）、処理を終了する。
【０１３９】
ステップＳ１９０６において、保存指示を受け付けなかった場合、入力受付部３１３は、所定時間が経過したか否かを判定する（ステップＳ１９１０）。ステップＳ１９１０において、所定時間が経過していない場合、入力受付部３１３は、ステップＳ１９０６へ戻る。
【０１４０】
ステップＳ１９１０において、所定時間が経過した場合、検査処理部３１０は、ステップＳ１９０９へ進む。
【０１４１】
また、本実施形態の検査処理部３１０は、ステップＳ１９０１において、視野検査の開始要求を受け付けない場合、入力受付部３１３により、視力検査の開始要求を受け付けたか否かを判定する（ステップＳ１９１１）。ステップＳ１９１１において、視力検査の開始要求を受け付けない場合、検査処理部３１０は、ステップＳ１９０１へ戻る。
【０１４２】
ステップＳ１９１１において、視力検査の開始要求を受け付けると、検査処理部３１０は、画像データ選択部３１４により、画像データ保持部３１１が保持している画像データから、視力検査用画像データを選択して読み出し、画像出力処理部３２０と表示制御部３１２へ視野検査用画像データを渡（ステップＳ１９１２）し、ステップＳ１９０３へ進む。
【０１４３】
次に、図２０を参照し、検査結果の入力画面について説明する。図２０は、第一の実施形態の検査結果の入力画面の一例を示す図である。図２０に示す入力画面１０１は、端末装置３００のディスプレイ３０８に表示される。
【０１４４】
入力画面１０１には、視野検査用画像Ｇが含まれる。また、入力画面１０１は、視野検査用画像Ｇにおいて、読めた数字を選択させるためのメッセージ１０２と、検査結果の保存指示を行うボタン１０３とを含む。
【０１４５】
尚、図２０の例では、メッセージ１０２は、「被験者が読み上げた数字にタッチして下さい」となっており、視野検査用画像Ｇにおいて被験者が視認できた数字の選択を促す内容となっているが、これに限定されない。メッセージ１０２は、例えば視野検査用画像Ｇにおいて、被験者が視認できなかった数字の選択を促す内容となっていても良い。
【０１４６】
メッセージ１０２の内容は、視野視力検査システム１００の管理者等により、予め設定されていても良い。また、例えば読めた数字を選択するか、又は読めなかった数字を選択するかは、被験者により設定されても良い。
【０１４７】
次に、図２１乃至図２６を参照し、本実施形態の検査結果格納部３３０について説明する。初めに、図２１乃至図２３を参照し、被験者Ｐの視野検査結果テーブル３３１−Ｐについて説明する。
【０１４８】
図２１は、被験者による視野検査用画像の見え方の一例を示す第一の図である。図２１Ａは、被験者Ｐの視野検査用画像の見え方の一例を示す図であり、図２１Ｂは、図２１Ａに示す見え方の被験者が視野検査用画像を見た場合の見え方の一例を示す図である。
【０１４９】
被験者Ｐは、図２１Ａに示すように、視界１１１において、欠損領域１１２、１１３、１１４が存在している。この欠損領域１１２、１１３、１１４は、被験者Ｐの網膜上の位置に対応している。つまり、被験者Ｐの網膜には、視界１１１における欠損領域１１２、１１３、１１４と対応する位置に、何らかの異常があることになる。
【０１５０】
このように、視野に欠損領域が存在する被験者の網膜に、視野検査用画像Ｇを投影させた場合、視野検査用画像Ｇにおいても、図２１Ａに示す欠損領域１１２、１１３、１１４が反映される。
【０１５１】
したがって、被験者Ｐには、視野検査用画像Ｇは、図２１Ｂに示すように、欠損領域１１２、１１３、１１４と対応する位置の領域（網掛け部分）が欠落した画像として視認される。よって、欠損領域と対応する位置の領域に描画された数字は、被験者には視認されない。
【０１５２】
図２１の例では、欠損領域１１２に含まれる領域は、識別子が１、２、１１、２１の領域であり、欠損領域１１３に含まれる領域は、識別子が９、１０、２０、３０の領域である。したがって、これらの数字は、被験者Ｐには読めない数字となる。
【０１５３】
図２２は、第一の実施形態における視野検査結果が入力された状態の入力画面の一例を示す第一の図である。
【０１５４】
図２２に示す入力画面１０１Ａは、入力画面１０１において、被験者Ｐの視野検査の結果が入力された例を示している。
【０１５５】
入力画面１０１Ａでは、欠損領域１１２〜１１４のそれぞれに含まれる領域の数字は選択されておらず、欠損領域１１２〜１１４以外の領域の数字が選択されていることがわかる。
【０１５６】
図２２の入力画面１０１Ａでは、視野検査用画像Ｇにおいて、選択された領域が、選択されていない領域と比べて明るく見えるようにしているが、これに限定されない。入力画面１０１Ａでは、視野検査用画像Ｇにおいて、選択された領域と選択されていない領域とが、区別できるように、それぞれが異なる態様で表示されることが好ましい。
【０１５７】
入力画面１０１Ａでは、被験者Ｐが読めた数字として、３〜８、１２〜１９、２２〜２９、３１〜８９、９１〜９９という具合に選択されたことがわかる。したがって、被験者Ｐが選択した数字が描画された領域が被験者Ｐの視野であることがわかる。
【０１５８】
入力画面１０１Ａにおいて、視野検査の結果の入力が完了し、ボタン１０３が走査されると、入力された検査結果が視野検査結果テーブル３３１−Ｐに格納される。
【０１５９】
図２３は、第一の実施形態の視野検査結果テーブルの一例を示す第一の図である。
【０１６０】
本実施形態の視野検査結果テーブル３３１−Ｐは、情報の項目として、被験者ＩＤ、検査日、入力時間、読めた数字、読めなかった数字を有する。視野検査結果テーブル３３１−Ｐは、項目「被験者ＩＤ」と、その他の項目とが対応付けられている。以下の説明では、視野検査結果テーブル３３１−Ｐにおいて、各項目の値を含む情報を視野検査結果情報と呼ぶ。
【０１６１】
項目「被験者ＩＤ」の値は、被験者を識別するための識別子である。尚、本実施形態では、被験者を識別するための情報として、識別子の代わりに被験者の氏名等を用いても良い。
【０１６２】
項目「検査日」の値は、視野検査を行った日付を示す情報である。項目「入力時間」値は、端末装置３００において、視野検査の検査結果が入力された時間を示す情報である。つまり、項目「入力時間」の値は、視野検査を行った時間を示す情報である。
【０１６３】
項目「読めた数字」の値は、視野検査用画像Ｇにおいて、被験者が読めた数字を示す。言い換えれば、項目「読めた数字」の値は、検査結果の入力画面１０１に表示された視野検査用画像Ｇにおいて、読めた数字として選択された領域に描画された数字を示す。
【０１６４】
項目「読めなかった数字」の値は、視野検査用画像Ｇにおいて、被験者が読めなかった数字を示す。言い換えれば、項目「読めなかった数字」の値は、検査結果の入力画面１０１に表示された視野検査用画像Ｇにおいて、読めた数字として選択されなかった領域に描画された数字を示す。
【０１６５】
図２３に示す視野検査結果テーブル３３１−Ｐは、被験者ＩＤが００１の被験者Ｐが、２０１６／４／１０の１０：００に入力した検査結果と、２０１６／４／１３の１８：００に入力した検査結果とが格納されていることがわかる。
【０１６６】
次に、図２４乃至図２６を参照し、被験者Ｑの視野検査結果テーブル３３１−Ｑについて説明する。
【０１６７】
図２４は、被験者による視野検査用画像の見え方の一例を示す第二の図である。図２４Ａは、被験者Ｑの見え方の一例を示す図であり、図２４Ｂは、図２４Ａに示す見え方の被験者が視野検査用画像Ｇを見た場合の見え方の一例を示す図である。
【０１６８】
被験者Ｑは、図２４Ａに示すように、視界１４１において、欠損領域１４２が存在している。
【０１６９】
したがって、被験者Ｑには、視野検査用画像Ｇは、図２４Ｂに示すように、欠損領域１４２と対応する位置の領域（網掛け部分）が欠落した画像として視認される。よって、欠損領域と対応する位置の領域に描画された数字は、被験者には視認されない。
【０１７０】
図２４Ｂの例では、欠損領域１４２に含まれる領域に描画された数字は、被験者Ｑには読めない数字となる。
【０１７１】
図２５は、第一の実施形態における視野検査結果が入力された状態の入力画面の一例を示す第二の図である。
【０１７２】
図２５に示す入力画面１０１Ｂは、入力画面１０１において、被験者Ｑの視野検査の結果が入力された例を示している。
【０１７３】
入力画面１０１Ｂでは、欠損領域１４２に含まれる領域の数字は選択されておらず、欠損領域１４２以外の領域の数字が選択されていることがわかる。
【０１７４】
入力画面１０１Ｂでは、被験者Ｑが読めた数字として、５〜１０、１５〜２０、２５〜３０、３５〜４０、４５〜５０、５５〜５９という具合に選択されたことがわかる。したがって、被験者Ｑが選択した数字が描画された領域が被験者Ｑの視野であることがわかる。
【０１７５】
入力画面１０１Ｂにおいて、視野検査の結果の入力が完了し、ボタン１０３が操作されると、検査結果が視野検査結果テーブル３３１−Ｑに格納される。
【０１７６】
図２６は、第一の実施形態の視野検査結果テーブルの一例を示す第二の図である。
【０１７７】
図２６に示す視野検査結果テーブル３３１−Ｑは、被験者ＩＤが００２の被験者Ｑが、２０１６／４／１０の１０：００に入力した視野検査結果と、２０１６／４／１３の１８：００に入力した視野検査結果とが格納されていることがわかる。
【０１７８】
このように、本実施形態によれば、マクスウェル視を利用して、複数の領域に分割された視野検査用画像Ｇを網膜の所定の位置に直接投影させるので、視野検査用画像Ｇの各領域が網膜上の位置に対応していることから、この領域ごとに、見える、見えないを検査すれば、網膜上のそれぞれの位置での視野検査を行うことが可能となる。
【０１７９】
尚、本実施形態において、端末装置３００に格納された視野検査結果テーブル３３１は、例えば、視野視力検査システム１００を導入している医療機関等のサーバ等に格納されても良い。
【０１８０】
尚、本実施形態では、視野検査用画像Ｇは、被験者の視野を覆う大きさであるものと説明したが、これに限定されない。
【０１８１】
例えば、本実施形態では、視野視力検査装置２００に瞳孔の動いた方向を検出するための機構を設けても良い。本実施形態では、このような機構を視野視力検査装置２００に設けることで、被験者の瞳孔が動く方向に光源２１１からの画像用光線の照射方向を瞳孔の動いた方向に変更することができる。
【０１８２】
このようにすれば、被験者は、瞳孔を動かした後と動かす前の両方において、同じ視野検査用画像Ｇを視認できる。したがって、被験者は、決まった方向を向いている必要がなく、自由な姿勢で視野検査を受けることができる。また、このようにすれば、被験者の姿勢等に影響されずに、検査中は常に視野検査用画像Ｇを被験者に視認させることができ、検査の精度を向上させることができる。
【０１８３】
また、本実施形態の視野検査結果テーブル３３１では、例えば、項目「読めた数字」の値及び項目「読めなかった数字」の値の代わりに、視野検査用画像Ｇにおける、それぞれの識別子が示す領域の位置を示す座標情報を用いても良い。また、視野検査結果テーブル３３１は、情報の項目として、例えば、項目「読めた数字」の値及び項目「読めなかった数字」の値が示す領域の位置を示す座標情報を有していても良い。
【０１８４】
座標情報は、例えば、検査用画像データから取得されても良いし、例えば各領域の識別子と、識別子と対応する領域を特定する座標情報とが対応付けられたテーブル等から取得されても良い。このテーブルは、予め端末装置３００に与えられていても良い。
【０１８５】
さらに、本実施形態では、検査結果情報に、領域が選択された状態の視野検査用画像Ｇの画像データを含めても良い。つまり、本実施形態では、検査結果情報に、図１２や図１５に示す、領域が選択された視野検査用画像Ｇの画像データを、検査結果情報の一項目として保持しても良い。
【０１８６】
また、本実施形態では、視野検査用画像Ｇの明るさ（輝度）を段階的に変更していき、その都度検査結果を入力させるようにしても良い。この場合、検査結果格納部３３０に、項目「視野検査用画像Ｇの明るさ」を追加し、検査結果情報に項目「視野検査用画像Ｇの明るさ」の値を含ませても良い。
【０１８７】
本実施形態では、視野検査用画像Ｇの明るさ毎に検査結果を入力させることで、被験者の明るさに対応した視野を特定することができる。
【０１８８】
次に、図２７乃至図２９を参照して、被験者Ｑの視力検査結果テーブル３３２−Ｑについて説明する。
【０１８９】
図２７は、図２４Ａに示す見え方の被験者が視力検査用画像を見た場合の見え方の一例を示す図である。
【０１９０】
被験者Ｑは、視界１４１において、欠損領域１４２が存在している。したがって、被験者Ｑにとっては、視力検査用画像Ｔは、図２７に示すように、欠損領域１４２と対応する位置の領域（網掛け部分）が欠落した画像として視認される。よって、欠損領域と対応する位置の領域に描画されたランドルト環は、被験者Ｑには視認されない。したがって、図２７の例では、欠損領域１４２に含まれる領域に描画されたランドルト環は、被験者Ｑには切れ目を判別できない領域となる。
【０１９１】
図２８は、第一の実施形態における視力検査結果が入力された状態の入力画面の一例を示す図である。
【０１９２】
図２８に示す入力画面１０１Ｃは、入力画面１０１において、被験者Ｑの視野検査の結果が入力された例を示している。
【０１９３】
本実施形態では、被験者Ｑの網膜に対して、大きさの異なるランドルト環を含む視力検査用画像Ｔを順次投影する。本実施形態では、例えば、被験者Ｑが、欠損領域１４２以外の領域に投影されたランドルト環の切れ目の方向を読み上げ、検査補助者が、被験者が切れ目の方向を読み上げたランドルト環を入力画面１０１Ｃにおいて選択する。
【０１９４】
尚、このとき、検査補助者には、被験者の視野に欠損領域１４２が存在することや、視野のどの部分が欠損領域１４２であるかを把握することが困難である。よって、例えば、視力検査用画像Ｔでは、ランドルト環の中心や近傍に、各ランドルト環を特定するための識別子等が設けられていても良い。
【０１９５】
例えば、図２８に示すように、各ランドルト環の中心に、ランドルト環を識別するための識別子となる番号が振られていても良い。
【０１９６】
また、入力画面１０１Ｃでは、欠損領域１４２に含まれる領域のランドルト環は選択されておらず、欠損領域１４２以外の領域のランドルト環が選択されていることがわかる。
【０１９７】
入力画面１０１Ｃでは、被験者Ｑが切れ目を判別できたランドルト環として、５〜１１のランドルト環、１６〜２２のランドルト環、２７〜３３のランドルト環、３８〜４４のランドルト環、５０〜５２のランドルト環が選択されたことがわかる。
【０１９８】
本実施形態では、このようにして、視力検査を行うことで、被験者Ｑの視野の視力を計ることができる。また、本実施形態では、視力検査と同時に、被験者Ｑの視野に欠損領域が存在するか否かの視野検査も、行うことができる。
【０１９９】
入力画面１０１Ｃにおいて、視力検査の結果の入力が完了し、ボタン１０３が操作されると、視力検査の結果が視力検査結果テーブル３３２−Ｑに格納される。
【０２００】
図２９は、第一の実施形態の視力検査結果テーブルの一例を示す第一の図である。
【０２０１】
本実施形態の視力検査結果テーブル３３２−Ｐは、情報の項目として、被験者ＩＤ、検査日、入力時間、判別できなかったランドルト環、判別できたランドルト環を有する。視力検査結果テーブル３３２−Ｑは、項目「被験者ＩＤ」と、その他の項目とが対応付けられている。以下の説明では、視力検査結果テーブル３３２−Ｑにおいて、各項目の値を含む情報を視力検査結果情報と呼ぶ。
【０２０２】
項目「判別できなかったランドルト環」の値は、視力検査用画像Ｔにおいて、被験者が切れ目を判別できなかったランドルト環を示す。言い換えれば、項目「判別できなかったランドルト環」の値は、入力画面１０１Ｃに表示された視力検査用画像Ｔにおいて、切れ目が判別されたランドルト環として選択されなかったランドルト環を特定する識別子である。
【０２０３】
項目「判別できたランドルト環」の値は、視力検査用画像Ｔにおいて、被験者が切れ目を判別できたランドルト環を示す。言い換えれば、項目「判別できたランドルト環」の値は、入力画面１０１Ｃに表示された視力検査用画像Ｔにおいて、切れ目が判別されたランドルト環として選択されたランドルト環を特定する識別子である。
【０２０４】
図２９に示す視力検査結果テーブル３３２−Ｑは、被験者ＩＤが００２の被験者Ｑが、２０１６／４／１０の１０：００に入力した視力検査結果が格納されていることがわかる。
【０２０５】
尚、図２９の例では、項目「判別できなかったランドルト環」、「判別できたランドルト環」の値のそれぞれを、ランドルト環を識別する識別子としたが、これに限定されない。項目「判別できなかったランドルト環」、「判別できたランドルト環」の値は、例えば、入力画面１０１Ｃで選択されたランドルト環の中心点の座標としても良い。
【０２０６】
図３０は、第一の実施形態の視力検査結果テーブルの一例を示す第二の図である。図３０に示す視力検査結果テーブル３３２Ａ−Ｑは、被験者Ｑの網膜に、１つのランドルト環が移動する動画を投影させた場合の視力の検査結果の例を示している。
【０２０７】
視力検査結果テーブル３３２Ａ−Ｑでは、項目「判別できたランドルト環」の値は、視力検査用画像Ｔにおいて、被験者Ｑによって切れ目が判別されたランドルト環が表示されていた領域を示す座標の情報である。
【０２０８】
また、項目「判別できたランドルト環」の値は、視力検査用画像Ｔにおいて、被験者Ｑによって切れ目が判別されたランドルト環が表示されていた領域を示す座標の情報である。また、項目「判別できなかったランドルト環」の値は、視力検査用画像Ｔにおいて、被験者Ｑによって切れ目が判別されなかったランドルト環が表示されていた領域を示す座標の情報である。尚、ここでの座標は、ランドルト環の中心点の座標である。
【０２０９】
図３０の例では、座標（ｘ３、ｙ３）から座標（ｘ４、ｙ４）までに中心点が含まれるランドルト環は、被験者Ｑによって切れ目が判別されたことがわかる。同様に、図３０の例では、座標（ｘ１、ｙ１）から座標（ｘ２、ｙ２）までに中心点が含まれるランドルト環は、被験者Ｑによって切れ目が判別されなかったことがわかる。
【０２１０】
尚、本実施形態において、「ランドルト環の切れ目の判別」とは、ランドルト環を視認した上で、切れ目の方向が正しく判別された場合と、ランドルト環は視認できたが、切れ目の方向が正しく判別されなかった場合と、の両方を含んでも良い。
【０２１１】
このように、本実施形態によれば、マクスウェル視を利用して、複数の領域に分割された視野検査用画像Ｇを網膜の所定の位置に直接投影させるため、視野検査用画像Ｇの各領域が網膜上の位置に対応していることから、この領域ごとに、見える、見えないを検査すれば、網膜上のそれぞれの位置での視野検査を行うことが可能となる。
【０２１２】
また、本実施形態によれば、マクスウェル視を利用して、視力検査に用いる視標の画像を含む視力検査用画像Ｔを網膜の所定の位置に直接させる。したがって、本実施形態によれば、網膜そのものの視力を計ることができる。さらに、本実施形態では、網膜における視力の分布を計ることができる。
【０２１３】
（第二の実施形態）
以下に図面を参照して第二の実施形態について説明する。第二の実施形態は、視野検査の検査結果データに基づく画像データを生成することで、視野が欠損した被験者でも、画像や文字を視認できるようにする点が第一の実施形態と相違する。以下の第二の実施形態の説明では、第一の実施形態の相違点についてのみ説明し、第一の実施形態と同様の機能構成を有するものには、第一の実施形態の説明で用いた符号と同様の符号を付与し、その説明を省略する。
【０２１４】
図３１は、第二の実施形態の視野視力検査システムのシステム構成を説明する図である。
【０２１５】
本実施形態の視野視力検査システム１００Ａは、視野視力検査装置２００と、端末装置３００Ａとを有する。
【０２１６】
本実施形態の視野視力検査装置２００は、検査用画像データのみでなく、端末装置３００Ａから送信される各種の画像データを被験者の網膜へ投影させる画像投影装置としても機能する。
【０２１７】
本実施形態の端末装置３００Ａは、検査処理部３１０、画像出力処理部３２０、検査結果格納部３３０、画像生成処理部３４０を有する。
【０２１８】
本実施形態の画像生成処理部３４０は、検査結果格納部３３０に格納された検査結果を参照し、投影対象となる情報が被験者の視野に投影されるように、画像データを生成する。
【０２１９】
以下に、図３２を参照して、本実施形態の画像生成処理部３４０について説明する。図３２は、第二の実施形態の画像生成処理部の機能を説明する図である。
【０２２０】
本実施形態の画像生成処理部３４０は、投影要求受付部３４１、投影対象取得部３４２、検査結果取得部３４３、画像データ生成部３４４を有する。
【０２２１】
投影要求受付部３４１は、表示操作装置３０１等において入力された投影情報の投影要求を受け付ける。
【０２２２】
投影対象取得部３４２は、投影情報を取得する。ここで、投影情報とは、画像投影装置２００により利用者Ｐの網膜上に投影される画像の元になる情報であり、例えば端末装置３００Ａの補助記憶装置３３等に格納されているコンテンツデータ等であっても良い。また、投影情報は、端末装置３００Ａが外部のサーバや記憶装置等から取得したコンテンツデータ等であっても良い。また、投影情報は、テキストデータであっても良いし、動画を含む画像データであっても良い。
【０２２３】
検査結果取得部３４３は、検査結果格納部３３０の視野検査結果テーブル３３１から、検査日と入力時間が最も新しい視野検査結果情報を取得する。
【０２２４】
画像データ生成部３４４は、視野検査結果情報から、項目「読めた数字」の値が示す領域に対し、投影情報が表示される画像の画像データを生成し、生成した画像データを画像出力処理部３２０へ渡す。
【０２２５】
次に、図３３を参照し、本実施形態の画像生成処理部３４０の処理について説明する。図３３は、第二の実施形態の画像生成処理部の動作を説明するフローチャートである。
【０２２６】
本実施形態の画像生成処理部３４０は、投影要求受付部３４１により、投影情報の選択と、投影情報の投影要求を受け付けたか否かを判定する（ステップＳ３３０１）。ステップＳ３３０１において、投影要求を受け付けない場合、画像生成処理部３４０は、投影要求を受け付けるまで待機する。
【０２２７】
ステップＳ３３０１において、投影要求を受け付けた場合、画像生成処理部３４０は、投影対象取得部３４２により、選択された投影情報を取得する（ステップＳ３３０２）。
【０２２８】
続いて、画像生成処理部３４０は、検査結果取得部３４３により、検査結果格納部３３０の視野検査結果テーブル３３１から、投影要求を行った被験者の視野検査結果情報を取得する（ステップＳ３３０４）。
【０２２９】
続いて画像生成処理部３４０は、画像データ生成部３４４により、投影情報と、視野検査結果情報とに基づき、画像出力処理部３２０へ渡す画像データを生成する（ステップＳ３３０５）。具体的には、画像データ生成部３４４は、視野検査結果情報から、項目「読めた数字」が描画された領域にのみに投影情報が描画される画像データを生成する。
【０２３０】
続いて、画像データ生成部３４４は、生成した画像データを画像出力処理部３２０へ渡し、処理を終了する。
【０２３１】
以下に、図３４を参照して、本実施形態の画像生成処理部３４０が生成する画像データについて説明する。
【０２３２】
図３４は、画像生成処理部が生成する画像データの例を示す図である。図３４の画像２０１−Ｐは、被験者Ｐの検査結果情報に基づき生成された画像データが表す画像の例を示す。また、図３４の画像２０１−Ｑは、被験者Ｑの検査結果情報に基づき生成された画像データが表す画像の例を示す。
【０２３３】
視野検査結果テーブル３３１−Ｐにおいて、最も新しい検査結果情報は、２０１６／４／１３の１８：００に入力された検査結果情報である（図２３参照）。
【０２３４】
したがって、画像生成処理部３４０は、視野検査結果テーブル３３１−Ｐから２０１６／４／１３の１８：００に入力された視野検査結果情報を取得する。
【０２３５】
この視野検査結果情報に含まれる項目「読めた数字」の値は、３−８、１２−１９、２２−２９、３１−８９、９１−９８である。
【０２３６】
よって、画像生成処理部３４０は、これらの数字を識別子とする領域にのみに投影情報が表示される画像２０１−Ｐを表す画像データを生成する。
【０２３７】
画像２０１−Ｐでは、例えば識別子１２−１９と対応する領域、識別子２２−２９と対応する領域、識別子３１−８９に対応する領域等に、投影情報が表示される。言い換えれば、画像２０１−Ｐでは、被験者Ｐの視野である領域２０２にのみ、投影情報が表示される。したがって、本実施形態によれば、被験者Ｐが投影要求を行った投影情報を、被験者Ｐの視野に入るように、被験者Ｐの網膜へ投影させることができる。
【０２３８】
また、検査結果格納部３３０−Ｑにおいて、最も新しい検査結果情報は、２０１６／４／１３の１８：００に入力された検査結果情報である（図２６参照）。
【０２３９】
したがって、画像生成処理部３４０は、検査結果格納部３３０−Ｑから２０１６／４／１３の１８：００に入力された検査結果情報を取得する。
【０２４０】
この検査結果情報に含まれる項目「読めた数字」の値は、５−１０、１４−２０、２４−３０、３５−４０、４４−５０、５５−６０である。
【０２４１】
よって、画像生成処理部３４０は、これらの数字を識別子とする領域にのみに投影情報が表示される画像２０１−Ｑを表す画像データを生成する。
【０２４２】
画像２０１−Ｑでは、例えば識別子５−１０、１４−２０、２４−３０、３５−４０、４４−５０、５５−６０と対応する領域に、投影情報が表示される。言い換えれば、画像２０１−Ｑでは、被験者Ｑの視野である領域２０３にのみ、投影情報が表示される。したがって、本実施形態によれば、被験者Ｑが投影要求を行った投影情報を、被験者Ｑの視野に入るように、被験者Ｑの網膜へ投影させることができる。
【０２４３】
以上のように、本実施形態によれば、視野検査の結果を用いて、被験者の視野内にのみ画像を投影させることができる。
【０２４４】
したがって、本実施形態によれば、投影情報を視野の欠損により欠落させることなく、被験者の網膜に投影することができる。
【０２４５】
例えば、本実施形態では、例えば視野に制限がある人が電子辞書で用語の検索等を行った場合等に、検索した用語の検索結果が表示された画像から用語の意味等が表示された部分の画像のみを抽出し、視野内に抽出した画像を表示させることができ、視野に制限がある人でも、通常の電子辞書を利用できるようになる。
【０２４６】
また、視野の限定された人であっても、日本語であれば、視野に５文字以上を入れることができれば、「読む」ことができることが、臨床結果から知られている。ここで言う「読む」とは、文字を目で追って、その意味を理解していくことを示す（NAOYUKI OSAKA, Kyoto University, Kyoto, Japan and KOICHI ODA, National Institute of Special Education, Yokosuka, Japan, Effective visual field size necessary for vertical reading during Japanese text processing, Bulletin of the Psychonomic Society 1991,29(4), 345-347）。
【０２４７】
したがって、本実施形態では、例えば視野の欠損部分が大きく、読書等が困難な人でも、自身の視野に５文字以上の文字を投影させることで、文章を読むことができるようになる。
【０２４８】
尚、本実施形態の画像生成処理部３４０において生成される画像データは、動画データも含む。例えば電子書籍の内容を被験者の視野に投影させようとした場合、テキストデータが被験者の視野内で流れていくように、動画データを投影させても良い。
【０２４９】
さらに、本実施形態の画像生成処理部３４０は、視野視力検査装置２００の利用者の視力検査結果情報を参照し、項目「判別できたランドルト環」の値に複数のランドルト環を示す値が含まれるとき、このランドルト環の大きさに、投影させる文字の大きさを合わせても良い。
【０２５０】
このようにすれば、網膜そのものの視力に応じた大きさの文字を、視野に投影させることができる。
【０２５１】
また、本実施形態の画像生成処理部３４０では、画像データ生成部３４４により、被験者の視野にのみ情報が投影されるような画像の画像データを生成するものとしたが、これに限定されない。
【０２５２】
画像生成処理部３４０は、例えば被験者の視野を示す情報と、投影情報のみを投影させる画像データとを画像出力処理部３２０を介して視野視力検査装置（画像投影装置）２００へ送信しても良い。被験者の視野を示す情報は、例えば検査結果情報に含まれる項目「読めた数字」の値を識別子とする領域の座標情報であっても良い。
【０２５３】
視野視力検査装置（画像投影装置）２００は、被験者の視野を示す情報と、投影情報のみを投影させる画像データとの入力を受けて、制御部２３０により、走査ミラー２１２の振動を制御し、被験者の視野内に、投影情報のみを投影させても良い。
【０２５４】
（第三の実施形態）
以下に図面を参照して第三の実施形態について説明する。第三の実施形態は、第二の実施形態の端末装置の機能を端末装置の外部のサーバに設けた点が第二の実施形態と相違する。よって、以下の第三の実施形態の説明では、第二の実施形態と同様の機能構成を有するものには、第二の実施形態の説明で用いた符号と同様の符号を付与し、その説明を省略する。
【０２５５】
図３５は、第三の実施形態の視野視力検査システムのシステム構成を説明する図である。
【０２５６】
本実施形態の視野視力検査システム１００Ｂは、視野視力検査装置（画像投影装置）２００、端末装置３００Ｂ、サーバ４００を有する。尚、図２１の例では、視野視力検査装置（画像投影装置）２００及び端末装置３００Ｂを１台としているが、視野視力検査システム１００Ｂの有する視野視力検査装置（画像投影装置）２００及び端末装置３００Ｂの台数は任意の数であって良い。
【０２５７】
本実施形態の端末装置３００Ｂは、サーバ４００から画像データを受信し、受信した画像データを視野視力検査装置（画像投影装置）２００へ送信する。また、本実施形態の端末装置３００Ｂは、サーバ４００から指示された画面を表示させ、画面において入力された情報をサーバ４００へ送信する。
【０２５８】
本実施形態のサーバ４００は、端末装置３００Ｂとネットワークを介して接続されている。サーバ４００は、検査結果データベース３３０Ａ、検査処理部３１０Ａ、画像出力処理部３２０、画像生成処理部３４０を有する。
【０２５９】
本実施形態の検査結果データベース３３０Ａには、端末装置３００Ｂにおいて入力された視野検査結果情報と視力検査結果情報が、被験者ＩＤと検査結果情報が入力された日時を示す情報とに対応付けられて格納されている。具体的には、検査結果データベース３３０Ａは、例えば端末装置３００Ｂが複数存在する場合には、複数の端末装置３００Ｂのそれぞれにおいて入力された視野検査結果情報と視力検査結果情報が、被験者ＩＤ毎に格納される。
【０２６０】
本実施形態の検査処理部３１０Ａは、表示制御部３１２が、検査用画像データを含む検査結果の入力画面を端末装置３００Ｂに表示させる。また、本実施形態の検査処理部３１０Ａは、入力受付部３１３が、端末装置３００Ｂの入力画面において入力された情報を受け付ける。
【０２６１】
本実施形態の画像生成処理部３４０は、検査用画像データや、画像生成処理部３４０が生成した画像データを端末装置３００Ｂへ出力する。端末装置３００Ｂは、検査用画像データや画像生成処理部３４０で生成された画像データを、視野視力検査装置２００に送信する。
【０２６２】
本実施形態では、このように、サーバ４００に検査処理部３１０Ａと画像生成処理部３４０とを設けたため、端末装置３００Ｂにおける処理の負担を軽減できる。
【０２６３】
（第四の実施形態）
以下に図面を参照して第四の実施形態について説明する。第四の実施形態は、サーバが視野検査処理部、画像生成処理部、画像出力処理部を含むアプリケーションを、端末装置に配信する点が、第二の実施形態と相違する。よって、以下の第四の実施形態の説明では、第二の実施形態と同様の機能構成を有するものには、第二の実施形態の説明で用いた符号と同様の符号を付与し、その説明を省略する。
【０２６４】
図３６は、第四の実施形態の視野視力検査システムのシステム構成を説明する図である。
【０２６５】
本実施形態の視野視力検査システム１００Ｃは、視野視力検査装置（画像投影装置）２００、端末装置３００Ｂ、サーバ４００Ａを有する。
【０２６６】
本実施形態のサーバ４００Ａは、アプリ配信部４１０を有する。また、サーバ４００Ａは、検査処理部３１０、画像出力処理部３２０、画像生成処理部３４０の機能を実現するアプリケーション４２０を有する。
【０２６７】
本実施形態のサーバ４００Ａにおいて、アプリ配信部４１０は、端末装置３００Ｃから、アプリケーション４２０の配信要求を受付けると、配信要求を受け付けた端末装置３００Ｃへアプリケーション４２０を配信する。
【０２６８】
アプリケーション４２０が配信された端末装置３００Ｃは、検査処理部３１０、画像出力処理部３２０、画像生成処理部３４０を有する端末装置３００Ａとなる。したがって、本実施形態では、アプリケーション４２０が配信された後の端末装置３００Ｃは、第二の実施形態と同様に、端末装置３００Ｃのみで、視野検査を実施し、検査結果に基づき生成した画像データを視野視力検査装置２００へ提供することができる。
【０２６９】
以上、各実施形態に基づき本発明の説明を行ってきたが、上記実施形態に示した要件に本発明が限定されるものではない。これらの点に関しては、本発明の主旨を損なわない範囲で変更することができ、その応用形態に応じて適切に定めることができる。
【符号の説明】
【０２７０】
１００、１００Ａ、１００Ｂ  視野視力検査システム
２００  視野視力検査装置
３００、３００Ａ、３００Ｂ、３００Ｃ、３００Ｄ  端末装置
３１０  検査処理部
３１１  画像データ保持部
３１２  表示制御部
３１４  検査結果格納制御部
３２０  画像出力処理部
３３０  検査結果格納部
３３１  視野検査結果テーブル
３３２  視力検査結果テーブル
３３０Ａ  検査結果データベース
３４０  画像生成処理部
３４２  投影対象取得部
３４３  検査結果取得部
３４４  画像データ生成部
４００  サーバ
４１０  アプリ配信部
【図１】
2017221657.tif 000003
【図２】
2017221657.tif 000004
【図３】
2017221657.tif 000005
【図４】
2017221657.tif 000006
【図５】
2017221657.tif 000007
【図６】
2017221657.tif 000008
【図７】
2017221657.tif 000009
【図８】
2017221657.tif 000010
【図９】
2017221657.tif 000011
【図１０】
2017221657.tif 000012
【図１１】
2017221657.tif 000013
【図１２】
2017221657.tif 000014
【図１３】
2017221657.tif 000015
【図１４】
2017221657.tif 000016
【図１５】
2017221657.tif 000017
【図１６】
2017221657.tif 000018
【図１７】
2017221657.tif 000019
【図１８】
2017221657.tif 000020
【図１９】
2017221657.tif 000021
【図２０】
2017221657.tif 000022
【図２１Ａ】
2017221657.tif 000023
【図２１Ｂ】
2017221657.tif 000024
【図２２】
2017221657.tif 000025
【図２３】
2017221657.tif 000026
【図２４Ａ】
2017221657.tif 000027
【図２４Ｂ】
2017221657.tif 000028
【図２５】
2017221657.tif 000029
【図２６】
2017221657.tif 000030
【図２７】
2017221657.tif 000031
【図２８】
2017221657.tif 000032
【図２９】
2017221657.tif 000033
【図３０】
2017221657.tif 000034
【図３１】
2017221657.tif 000035
【図３２】
2017221657.tif 000036
【図３３】
2017221657.tif 000037
【図３４】
2017221657.tif 000038
【図３５】
2017221657.tif 000039
【図３６】
2017221657.tif 000040
【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
網膜投影型ヘッドマウントディスプレイと、前記網膜投影型ヘッドマウントディスプレイと通信を行う端末装置と、を有する視野視力検査システムであって、
前記端末装置は、
検査用画像データを保持する画像データ保持部と、
前記検査用画像データを前記網膜投影型ヘッドマウントディスプレイへ出力する画像出力処理部と、
画像を表示する表示部と、
前記検査用画像データから検査用画像を生成して前記表示部に表示する表示制御部と、を有し、
前記網膜投影型ヘッドマウントディスプレイは、
光線を出射する光源部と、
前記端末装置からの検査用画像データを入力する画像入力部と、
入力された前記検査用画像データに基づいた光線を生成して、前記光源部から画像用光線の出射制御を行う制御部と、
前記画像用光線を走査して検査用画像光線を生成する走査ミラーと、
前記検査用画像光線を検査用画像として被験者の眼球の網膜に投影する投影部とを有し、
前記検査用画像データは、それぞれに識別子を含む複数の領域に区分されている視野検査用画像データと、視力検査用画像データと、を含む、視野視力検査システム。
【請求項２】
前記端末装置は、
選択された検査の種類に応じて、前記視野検査用画像データ又は前記視力検査用画像データの何れかを選択する画像データ選択部を有し、
前記画像出力処理部は、
前記画像データ選択部により選択された前記視野検査用画像データ又は前記視力検査用画像データを前記網膜投影型ヘッドマウントディスプレイへ出力する、請求項１記載の視野視力検査システム。
【請求項３】
前記端末装置は、検査結果を格納する検査結果格納部を有し、
前記表示部に表示された、前記視野検査用画像データが示す視野検査用画像において、選択された前記領域における識別子を視野検査結果情報として前記検査結果格納部に格納する、請求項２記載の視野視力検査システム。
【請求項４】
選択された前記領域は、前記視野検査用画像において、前記被験者により前記識別子が視認された領域又は前記識別子が視認されなかった領域である、請求項３記載の視野視力検査システム。
【請求項５】
前記表示制御部は、
前記視野検査用画像と共に、前記視野検査用画像において、前記被験者により前記識別子が視認された領域の選択を促すメッセージを表示させる、請求項４記載の視野視力検査システム。
【請求項６】
前記端末装置は、
前記被験者の網膜に投影させる画像の画像データを生成する画像生成処理部を有し、
前記画像生成処理部は、
投影情報を取得する投影対象取得部と、
前記検査結果格納部に格納された前記視野検査結果情報に基づき、前記識別子が視認された領域に前記投影情報を投影する画像の画像データを生成する画像データ生成部と、
を有し、
前記画像出力処理部は、
前記画像データ生成部が生成した前記画像データを前記網膜投影型ヘッドマウントディスプレイへ出力する、請求項４又は５記載の視野視力検査システム。
【請求項７】
前記識別子はアラビア数字であり、
前記検査用画像は、
前記複数の領域の中に前記アラビア数字が描画された画像である、請求項１乃至６の何れか一項に記載の視野視力検査システム。
【請求項８】
前記視力検査用画像データは、視標の画像を含む、請求項１乃至７の何れか一項に記載の視野視力検査システム。
【請求項９】
前記端末装置は、検査結果を格納する検査結果格納部を有し、
前記表示部に表示された、前記視力検査用画像データが示す視力検査用画像において、選択された前記視標の画像を特定する情報を、視力検査結果情報として前記検査結果格納部に格納する、請求項８記載の視野視力検査システム。
【請求項１０】
前記視標は、ランドルト環であって、前記視標の画像を特定する情報は、前記ランドルト環の中心点の座標である、請求項９記載の視野視力検査システム。
【請求項１１】
前記画像出力処理部は、
前記視標の画像の大きさが異なる複数の前記視力検査用画像データを前記網膜投影型ヘッドマウントディスプレイへ出力する、請求項９又は１０記載の視野視力検査システム。
【請求項１２】
前記被験者の網膜に投影させる画像の画像データに含まれる文字の画像の大きさは、前記検査結果格納部に格納された前記視力検査結果情報に基づき決定される、請求項９乃至１１の何れか一項に記載の視野視力検査システム。
【請求項１３】
光線を出射する光源部と、
検査用画像データを入力する画像入力部と、
入力された前記検査用画像データに基づいた光線を生成して、前記光源部から画像用光線の出射制御を行う制御部と、
前記画像用光線を走査して検査用画像光線を生成する走査ミラーと、
前記検査用画像光線を検査用画像として被験者の眼球の網膜に投影する投影部とを有し、
前記検査用画像データは、それぞれに識別子を含む複数の領域に区分されている視野検査用画像データと、視力検査用画像データと、を含む、網膜投影型ヘッドマウントディスプレイ。
【請求項１４】
網膜投影型ヘッドマウントディスプレイと、前記網膜投影型ヘッドマウントディスプレイと通信を行う端末装置と、を有する視野視力検査システムによる視野視力検査方法であって、
前記端末装置が、
検査用画像データを画像データ保持部に保持する手順と、
前記検査用画像データを前記網膜投影型ヘッドマウントディスプレイへ出力する手順と、
画像を表示する表示部に、前記検査用画像データから検査用画像を生成して表示する手順と、を有し、
前記網膜投影型ヘッドマウントディスプレイが、
前記端末装置からの検査用画像データを入力する手順と、
入力された前記検査用画像データに基づいた光線を生成して、前記光線を出射する光源部からの画像用光線の出射制御を行う手順と、
前記画像用光線を走査ミラーにより走査して検査用画像光線を生成する手順と、
前記検査用画像光線を検査用画像として被験者の眼球の網膜に投影する手順と、を有し、
前記検査用画像データは、それぞれに識別子を含む複数の領域に区分されている視野検査用画像データと、視力検査用画像データと、を含む、視野視力検査方法。
【請求項１５】
コンピュータによる視野視力検査プログラムであって、
それぞれに識別子を含む複数の領域に区分されている視野検査用画像データと、視力検査用画像データと、を保持するステップと、
検査の種類の選択を受け付けるステップと、
前記視野検査用画像データと、前記視力検査用画像データの何れか一方を、前記選択に応じて網膜投影型ヘッドマウントディスプレイへ出力するステップと、
前記コンピュータが有する表示部に、前記視野検査用画像データから生成される視野検査用画像、又は、前記視力検査用画像データから生成される視力検査用画像を表示させるステップと、
前記表示部に表示された前記視野検査用画像、又は、前記視力検査用画像に基づく検査結果情報を検査結果格納部に格納するステップと、を前記コンピュータに実行させる、視野視力検査プログラム。
【請求項１６】
検査用画像データを保持する画像データ保持部と、
前記検査用画像データを端末装置へ出力する画像出力処理部と、
前記検査用画像データから検査用画像を生成して前記端末装置の表示部に表示させる表示制御部と、
前記端末装置の表示部に表示された前記検査用画像に基づく検査結果情報が格納される検査結果格納部と、を有し、
前記検査用画像データは、
それぞれに識別子を含む複数の領域に区分されている視野検査用画像データと、視力検査用画像データと、を含み、
前記端末装置は、
前記検査用画像データを被験者の眼球の網膜へ投影する網膜投影型ヘッドマウントディスプレイに出力する端末装置である、サーバ装置。
【手続補正２】
【補正対象書類名】明細書
【補正対象項目名】０００８
【補正方法】変更
【補正の内容】
【０００８】
開示の技術は、網膜投影型ヘッドマウントディスプレイと、前記網膜投影型ヘッドマウントディスプレイと通信を行う端末装置と、を有する視野視力検査システムであって、前記端末装置は、検査用画像データを保持する画像データ保持部と、前記検査用画像データを前記網膜投影型ヘッドマウントディスプレイへ出力する画像出力処理部と、画像を表示する表示部と、前記検査用画像データから検査用画像を生成して前記表示部に表示する表示制御部と、を有し、前記網膜投影型ヘッドマウントディスプレイは、光線を出射する光源部と、前記端末装置からの検査用画像データを入力する画像入力部と、入力された前記検査用画像データに基づいた光線を生成して、前記光源部から画像用光線の出射制御を行う制御部と、前記画像用光線を走査して検査用画像光線を生成する走査ミラーと、前記検査用画像光線を検査用画像として被験者の眼球の網膜に投影する投影部とを有し、前記検査用画像データは、それぞれに識別子を含む複数の領域に区分されている視野検査用画像データと、視力検査用画像データと、を含む。